(57)【要約】      （修正有）【課題】カメラで撮影した画像を表示部に表示する場合に、操作者の好みの色特性の画像を表示することが可能な携帯型情報処理装置を提供する。【解決手段】携帯型情報処理装置は、表示部と、前記表示部の表示面側に形成可能な鏡面と、前記表示部の表示面側に配置可能なカメラと、前記カメラで撮像されて前記表示部に表示される画像の色特性を設定するためのユーザインターフェイスと、前記ユーザインターフェイスで設定された色特性に基づいて、前記画像の色特性を調整する調整手段と、を備えている。【選択図】図７
2014078877.tif 000002
【特許請求の範囲】
【請求項１】
表示部と、
前記表示部の表示面側に形成可能な鏡面と、
前記表示部の表示面側に配置可能なカメラと、
前記カメラで撮像されて前記表示部に表示される画像の色特性を設定するためのユーザインターフェイスと、
前記ユーザインターフェイスで設定された色特性に基づいて、前記画像の色特性を調整する調整手段と、
を備えたことを特徴とする携帯型情報処理装置。
【請求項２】
前記色特性は、ホワイトバランスであることを特徴とする請求項１に記載の携帯型情報処理装置。
【請求項３】
前記鏡面は、前記表示部の一部に擬似的に形成されるものであることを特徴とする請求項１又は２に記載の携帯型情報処理装置。
【請求項４】
前記鏡面は、鏡の鏡面であることを特徴とする請求項１又は請求項２に記載の携帯型情報処理装置。
【請求項５】
前記携帯型情報処理装置は、スマートフォンであることを特徴とする請求項１〜請求項４のいずれか１つに記載の携帯型情報処理装置。
【発明の詳細な説明】
【技術分野】
【０００１】
本発明は、携帯型情報処理装置に関する。
【背景技術】
【０００２】
近時、携帯電話、スマートフォン、ノートＰＣや、タブレットＰＣ等の携帯型情報処理装置では、カメラを内蔵したものが普及している。かかる携帯型情報処理装置では、カメラで撮影した画像を内蔵のディスプレイに表示可能となっている。ここでディスプレイに表示される画像は、カメラの色特性とディスプレイの色特性が組み合わされた色特性となるため、使用者の好みの色特性の画像とならない場合がある。
【０００３】
例えば、できるだけ自然な色で撮影画像が表示されることが望まれている。カメラではホワイトバランス調整回路が付加されている。このホワイトバランス調整回路では、ある色温度の光源で照明された白い物体を撮像したときに、Ｒ：Ｇ：Ｂ＝１：１：１となるように調整している。しかしながら、従来のホワイトバランス調整回路にあっては、ある一定の入力光に対してのみ正常に調整されるだけであり、入力光が暗すぎるときには青っぽく調整され、あるいは、例えばカメラの画角の一部に強力な光源があって入力光が明るすぎるときには赤っぽく調整されてしまう場合がある。他方、近時、ＬＣＤ表示装置を鏡として利用する技術が提案されている（例えば、特許文献１，２、非特許文献１参照）。
【先行技術文献】
【特許文献】
【０００４】
【特許文献１】特表２００５−５２１０８６号公報
【特許文献２】特開２００５−３２１７１７号公報
【非特許文献】
【０００５】
【非特許文献１】http://download.p4c.philips.com/files/4/42pm8822＿10/42pm8822＿10＿pss＿eng.pdf
【発明の概要】
【発明が解決しようとする課題】
【０００６】
本発明は、上記課題に鑑みてなされたものであり、カメラで撮影した画像を表示部に表示する場合に、操作者の好みの色特性の画像を表示することが可能な携帯型情報処理装置を提供することを目的とする。
【課題を解決するための手段】
【０００７】
上述した課題を解決し、目的を達成するために、本発明は、表示部と、前記表示部の表示面側に形成可能な鏡面と、前記表示部の表示面側に配置可能なカメラと、前記カメラで撮像されて前記表示部に表示される画像の色特性を設定するためのユーザインターフェイスと、前記ユーザインターフェイスで設定された色特性に基づいて、前記画像の色特性を調整する調整手段と、を備えたことを特徴とする。
【０００８】
また、本発明の好ましい態様によれば、前記色特性は、ホワイトバランスであることが望ましい。
【０００９】
また、本発明の好ましい態様によれば、前記鏡面は、前記表示部の一部に擬似的に形成されるものであることが望ましい。
【００１０】
また、本発明の好ましい態様によれば、前記鏡面は、鏡の鏡面であることが望ましい。
【００１１】
また、本発明の好ましい態様によれば、前記携帯型情報処理装置は、スマートフォンであることが望ましい。
【発明の効果】
【００１２】
本発明によれば、カメラで撮影した画像を表示部に表示する場合に、操作者の好みの色特性の画像を表示することが可能な携帯型情報処理装置を提供することが可能となる。
【図面の簡単な説明】
【００１３】
【図１】図１は、本実施の形態に係る携帯電話端末の外観を示す斜視図である。
【図２】図２は、本実施の形態に係る携帯電話端末の外観を示す背面図である。
【図３】図３は、図１の概略のＡ−Ａ’断面図である。
【図４】図４は、鏡面形成部の通常モードを説明するための模式図である。
【図５】図５は、鏡面形成部の鏡面モードを説明するための模式図である。
【図６】図６は、本実施の形態に係る携帯電話端末の構成を示すブロック図である。
【図７】図７は、色特性調整モードを説明するための図である。
【図８】図８は、通常表示モードを説明するための図である。
【図９】図９は、変形例１に係る携帯電話端末の外観を示す斜視図である。
【図１０】図１０は、図９の概略のＡ−Ａ’断面図である。
【図１１】図１１は、変形例２に係る携帯電話端末の外観を示す斜視図である。
【発明を実施するための形態】
【００１４】
以下、本実施の形態にかかる携帯型情報処理装置の実施の形態について説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無くても、または他の方法、部品、材料でも本発明を実現できることが理解できる。  
【００１５】
（実施の形態）
携帯型情報処理装置の一実施形態である携帯電話端末１の外観構成について説明する。本実施の形態では、携帯電話端末の一例としてスマートフォンについて説明する。図１は、携帯電話端末１の外観を示す斜視図である。図２は、携帯電話端末の外観を示す背面図である。図３は、図１の概略のＡ−Ａ’断面図である。図４は、鏡面形成部の通常モードを説明するための模式図である。図５は、鏡面形成部の鏡面モードを説明するための模式図である。
【００１６】
図１〜図３に示すように、携帯電話端末１は、略六面体形状の筐体２を備えている。筐体２の表面のうち一方側の面を正面２Ａ、正面２Ａに対向する他方側の面を背面２Ｃ、筐体２の表面のうち正面２Ａと背面２Ｃに挟まれた面を側面２Ｂとする。携帯電話端末１は、筐体２の正面２Ａに、タッチパネル３Ａ、鏡面形成部３Ｂ、スペーサ３Ｃ、および表示部３Ｄで構成されるタッチ表示部３と、操作部４と、マイク５と、第１カメラ６Ａと、スピーカ７とが配置されている。筐体２の背面２Ｃには、第２カメラ６Ｂが配置されている。筐体２の側面２Ｂには、不図示の電源ボタンやボリューム調整ボタン等が配置されている。
【００１７】
タッチ表示部３は、正面２Ａの中央の略全域に亘って配置されている。操作部４及びマイク５は、正面２Ａの長手方向の一方の端部に配置されている。第１カメラ６Ａ及びスピーカ７は、正面２Ａの長手方向の他方の端部に配置されている。第２カメラ６Ｂは、背面２Ｃの長手方向の一方の端部に配置されている。すなわち、第１カメラ６Ａで正面２Ａ側から撮影（自分撮りを含む）が可能であり、第２カメラ６Ｂで背面２Ｃ側から撮影が可能となっている。
【００１８】
タッチ表示部３は、文字、図形、画像等の情報を表示するとともに、指、スタイラス、ペン等（以下、「指示体」と称する）を用いてタッチパネル３Ａに対して行われる各種操作を検出する。タッチパネル３Ａが各種操作を検出する方式は、静電容量式、感圧式等の方式を採用することができる。タッチ表示部３は、図３に示すように、文字、図形、画像等を表示する表示部３Ｄと、表示部３Ｄ上に配置される、鏡面形成部３Ｂ及び透明のスペーサ３Ｃと、鏡面形成部３Ｂ及びスペーサ３Ｃ上に配置されるタッチパネル３Ａとで構成される。鏡面形成部３Ｂ及びスペーサ３Ｃは、略同じ大きさとなっており、鏡面形成部３Ｂは、表示部３Ｄの略半分の矩形領域を覆っている。
【００１９】
鏡面形成部３Ｂは、擬似的に鏡面（反射面）を形成可能な構成となっている。鏡面形成部３Ｂは、図４に示すように、通常モードでは、表示部３Ｄからの光を通過させ、タッチ表示部３の全面に情報が表示される。また、鏡面形成部３Ｂは、図５に示すように、鏡面モードでは、表示部３Ｄからの光を遮断すると共に、外光を反射して鏡面を形成する。これにより、鏡面モードでは、タッチ表示部３の領域３Ｅ１（半面）に情報が表示され、残りの領域３Ｅ２（半面）は鏡面を形成して鏡として使用することができる。
【００２０】
鏡面形成部３Ｂは、例えば、透過軸（偏光軸）方向以外の方向の偏光成分を反射する機能を有する反射型偏光選択部材と、電極により電圧を選択的に印加することによって、通過する光の偏光軸を回転させる状態と回転させない状態とを呈する液晶層と、偏光板等で構成することができる。鏡面形成部３Ｂの構成は、公知の構成を採用することができ、例えば、特許文献１や特許文献２で記載されている鏡面形成方法を使用することができるので、その詳細な説明は省略する。
【００２１】
操作部４は、所定の機能が割り当てられたボタン４Ａ及びボタン４Ｂ等の複数のボタンからなる。
【００２２】
第１及び第２カメラ６Ａ、６Ｂで撮影した画像は表示部３Ｄに表示可能となっている。表示部３Ｄに表示される画像は、第１及び第２カメラ６Ａ，６Ｂ（後述するカメラ処理部１５を含む）の色特性と表示部３Ｄの色特性が組み合わされた色特性となるため、使用者の好みの色特性の画像とならない場合がある。そこで、本実施の形態では、後述する色特性調整モードにおいて、タッチ表示部３の領域３Ｅ２に鏡面を形成して被写体を映し、タッチ表示部３の領域３Ｅ１に第１カメラ６Ａで被写体を撮影した画像を表示し、操作者が、鏡面に映った被写体を見ながら、表示された被写体の画像の色特性を調整可能な構成としている。
【００２３】
図６は、携帯電話端末１の構成を示すブロック図である。図６に示すように、携帯電話端末１は、制御部１０と、メモリ１１と、記憶部１２と、通信部１３と、カメラ処理部１５と、タッチ表示部３（タッチパネル３Ａ、鏡面形成部３Ｂ、表示部３Ｄ）と、操作部４と、マイク５と、第１カメラ６Ａ，第２カメラ６Ｂ、スピーカ７とを備えている。
【００２４】
タッチ表示部３は、表示部３Ｄと、表示部３Ｄに重畳された鏡面形成部３Ｂと、鏡面形成部３Ｂに重畳されたタッチパネル３Ａとを有する。タッチパネル３Ａは、指やペン等の指示体を用いてタッチパネル３Ａに対して行われた各種操作を、操作が行われた場所のタッチパネル３Ａ上での位置とともに検出し、制御部１０に通知する。タッチパネル３Ａによって検出される操作には、タッチ操作、スライド操作、及びピッチ操作が含まれる。鏡面形成部３Ｂは、制御部１０によって制御されて、通常モードと鏡面モードが切り替えられる。表示部３Ｄは、例えば、液晶ディスプレイ（ＬＣＤ：Liquid  Crystal  Display）や、有機ＥＬ（Organic  Electro−Luminescence）パネルなどで構成され、文字や図形等を表示する。
【００２５】
操作部４は、ボタン４Ａ、４Ｂ等を通じて利用者の操作を受け付け、受け付けた操作に対応する指示信号を制御部１０へ送信する。ボタン４Ａは、色特性調整モードと通常表示モードとを切り替えるためのボタンである。色特性調整モードは、タッチ表示部３の領域３Ｅ２に鏡面を形成し、タッチ表示部３の領域３Ｅ１に第１カメラ６Ａで撮影した被写体の画像を表示して、表示される被写体の画像の色特性を調整するモードである（この場合は、鏡面形成部３Ｂは鏡面モードとなる）。通常表示モードは、タッチ表示部３の全面に、第１カメラ６Ａで撮影した被写体の画像を表示する通常のモードである（この場合は、鏡面形成部３Ｂは通常モードとなる）。
【００２６】
電源部１４は、制御部１０の制御に従って、蓄電池またはＡＣアダプタから得られる電力を、制御部１０を含む携帯電話端末１の各機部へ供給する。
【００２７】
第１及び第２カメラ６Ａ，６Ｂは、それぞれレンズ及び撮像部等を備えている。レンズ３１は、被写体光を結像する。撮像部３２は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子、およびＲＧＢカラーフィルタ等を備えており、レンズで撮像された被写体光をＲ，Ｇ，Ｂの画像信号としてカメラ処理部１５に出力する。
【００２８】
カメラ処理部１５は、ＡＥ機能やＡＷＢ機能等を有しており、Ａ／Ｄ変換器、画像処理用ＬＳＩ、メモリ等を備え、撮像素子の駆動タイミングや露出制御等を行うと共に、第１及び第２カメラ６Ａ，６Ｂで得られたＲＧＢの画像信号に対して各種信号処理を行う。具体的には、カメラ処理部１５は、制御部１０により設定される色特性パラメータに従って、ＲＧＢの画像信号に対して色特性調整処理を行う。例えば、カメラ処理部１５は、制御部１０により設定されるホワイトバランス調整パラメータに従って、ＲＧＢの画像信号に対してホワイトバランス調整を行う。
【００２９】
通信部１３は、基地局によって割り当てられるチャネルを介し、基地局との間で無線信号回線を確立し、基地局との間で電話通信及び情報通信を行う。スピーカ７は、制御部１０から送信される音声信号を音声として出力する。マイク５は、利用者等の音声を音声信号へ変換して制御部１０へ出力する。
【００３０】
メモリ１１は、例えば、ＲＡＭやＤＲＡＭ等で構成されており、制御部１０によって実行されるプログラム、制御部１０が参照するデータ、制御部１０の演算結果等が一時的に記憶されるワークエリアとして使用される。
【００３１】
記憶部１２は、例えば、不揮発性メモリや磁気記憶装置であり、制御部１０での処理に利用されるプログラムやデータを保存する。記憶部１２に記憶されるプログラムには、携帯電話端末１の基本的な機能を実現するＯＳ、デバイスをハードウェア制御するためのデバイス・ドライバ、電子メール機能を実現するための機能を提供するメールプログラム、ＷＥＢブラウジング機能を実現するための機能を提供するブラウザプログラム、色特性調整モードを実行するための色特性調整プログラム等が含まれる。
【００３２】
制御部１０は、例えば、ＣＰＵ（Central  Processing  Unit）、マイクロプロセッサ、ＤＳＰ等であり、携帯電話端末１の動作を統括的に制御して各種の機能（モード）を実現する。具体的には、制御部１０は、記憶部９に記憶されているデータやＲＡＭ１１に展開したデータを必要に応じて参照しつつ、記憶部９に記憶されているプログラムに含まれる命令を実行して、タッチ表示部３、通信部１３，カメラ処理部１５等を制御することによって各種機能（モード）を実現する。なお、制御部１０が実行するプログラムや参照するデータは、通信部１３による無線通信でサーバ装置からダウンロードすることとしてもよい。
【００３３】
つぎに、制御部１０により実行される色特性調整モードについて説明する。図７は色特性調整モードを説明するための図である。図８は通常表示モードを説明するための図である。制御部１０は、ボタン４Ａが操作されて、色特性調整モードが選択されると、記憶部１２に格納されている色特性調整プログラムを実行して色特性調整モードを実行する。ここでは、操作者が自分の顔を被写体として撮影する場合について説明するが、被写体はこれに限られるものではない。
【００３４】
制御部１０は、色特性調整モードでは、タッチ表示部３の鏡面形成部３Ｂを鏡面モードにして鏡面を形成すると共に、第１カメラ６Ａで撮影した画像をタッチ表示部３（表示部３Ｄ）の領域３Ｅ１に表示する。また、制御部１０は、領域３Ｅ１にホワイトバランス調整用のＵＩであるバー９を表示する。このバー９では、操作者がボタン９Ａを移動することでホワイトバランス調整が可能となっている。ボタン９Ａを左側に移動すると暖色系（オレンジ）の強いホワイトバランス、右側に移動すると寒色系（青色）の強いホワイトバランスとなる。
【００３５】
操作者は、自分の顔が第１カメラ６Ａの撮像範囲に入り、かつ、領域３Ｅ２（鏡面）に自分の顔が映るように、携帯電話端末１の角度及び自分の位置を調整する。図７は、領域３Ｅ１に自分の顔が表示され、領域３Ｅ２に自分の顔が映っている状態を示している。操作者は、領域３Ｅ１に表示された自分の画像と領域３Ｅ２に映った自分の画像とを比較して、自分の好みに合ったホワイトバランスの画像表示とするために、バー９Ａを操作する。制御部１０は、バー９Ａの位置に応じたホワイトバランス調整用パラメータをカメラ処理部１５に設定する。カメラ処理部１５は、以後、撮像画像に対して制御部１０により設定されたホワイトバランス調整用パラメータに基づいたホワイトバランス調整を行う。これにより、ホワイトバランス調整された撮像画像が領域３Ｅ１に表示される。これにより、操作者は、表示される画像を自分の好みにあったホワイトバランスに調整することが可能となる。
【００３６】
例えば、操作者は、撮像画像の表示を自分の好みにあったホワイトバランスに調整した後は、色特性調整モードを解除して通常表示モードを選択し、図８に示すように、タッチ表示部３の全面に自分の撮像画像を表示して、鏡の代わりに、タッチ表示部３に表示される自分の画像を見ながら化粧等を行う用途が考えられる。
【００３７】
なお、ここでは、色特性としてホワイトバランスを調整することとしたが、画像のガンマや色相、彩度、明度等を調整することにしてもよい。また、カメラ処理部１５で撮像画像のホワイトバランスを調整することとしたが、表示部３Ｄでホワイトバランス調整を行うことにしてもよい。また、正面２Ａ側と背面２Ｃ側に第１カメラ６Ａと第２カメラ６Ｂを設けることとしたが、１つのカメラを筐体２に対して回動可能に設け、１つのカメラで正面側と背面側から撮影可能な構成としてもよい。また、鏡面形成部３Ｂの代わりにハーフミラーを配置することにしてもよい。
【００３８】
以上説明したように、本実施の形態によれば、タッチ表示部３と、タッチ表示部３の表示面側に形成可能な鏡面と、タッチ表示部３の表示面側に配置可能な第１カメラ６Ａと、第１カメラ６Ａで撮像されてタッチ表示部３に表示される画像の色特性を設定するためのユーザインターフェィス（バー９）と、ユーザインターフェィスで設定された色特性に応じて画像の色特性を調整するカメラ処理部１５と、を備えているので、カメラで撮影した画像を表示部に表示する場合に、操作者の好みの色特性の画像を表示することが可能となる。
【００３９】
また、色特性としてホワイトバランスを調整することとしたので、操作者の好みのホワイトバランスとすることができる。
【００４０】
また、鏡面は、鏡面形成部３Ｂによりタッチ表示部３の一部に擬似的に形成されることとしたので、表示画面の一部に鏡面を形成することができ、大きな表示領域を確保することが可能となる。
【００４１】
（変形例１）
なお、上記実施の形態では、鏡面形成部３Ｂが擬似的に鏡面を形成することとしたが、鏡を配置して鏡面を構成することにしてもよい。図９及び図１０は、変形例１に係わる携帯電話端末１の外観構成について説明する。図１は、変形例１に係わる携帯電話端末の外観を示す斜視図である。図１０は、図９の概略のＡ−Ａ’断面図である。
【００４２】
図９及び図１０に示すように、タッチ表示部３において、鏡面形成部３Ｂの代わりに鏡２０を設け、表示部３Ｄの大きさを図１及び図３で示した場合に比して半分の大きさにすることにしてもよい。この場合、表示領域は狭くなるが、鏡面形成部３Ｂの代わりに鏡２０を配置しているので、低コストな構成とすることができる。
【００４３】
（変形例２）
上記実施の形態では、携帯電話端末の一例としてスマートフォンについて説明したが、折り畳式の携帯電話端末を使用することにしてもよい。この場合、上記実施の形態と同様に、表示領域の一部に上述の鏡面形成部３Ｂを形成してもよいが、操作部が配置される側の筐体に鏡を形成することにしてもよい。
【００４４】
図１１は、変形例２に係わる携帯電話端末の外観を示す図である。携帯電話端末１００は、折り畳式の携帯電話であり、いずれも略直方体である表示部側筐体１０１と操作部側筐体１０２とを備えている。表示部側筐体１０１及び操作部側筐体１０２は、それぞれの端部で連結部（ヒンジ部）１０３によって連結されており、連結部１０３は、これらの筐体を開閉自在に支持している。表示部側筐体１０１は、表示部１０４と、表示部１０４の表示面側にその上方の略中央に配置され、前方の被写体を撮像可能なカメラ１０５と、スピーカ（不図示）等を備える。操作部側筐体１０２は、その上方に鏡１０６と、鏡１０６の下方に配置された操作部１０７、マイク（不図示）等を備える。
【００４５】
操作者は、携帯電話端末１００の表示部側筐体１０１を開いた状態で、鏡１０６に自分の顔を映しながら、カメラ１０５で自分の顔を撮影して撮影した画像を表示部１０４に表示する。そして、操作者は、上記と同様に、ホワイトバランス調整用バー９を操作して、表示部１０４に表示される画像のホワイトバランス調整を行う。
【００４６】
なお、上記実施の形態では、携帯電話端末について説明したが、本発明はこれに限られるものではなく、タブレットＰＣ、ノートＰＣ、ＰＨＳ（Personal  Handy-phone  System）、ＰＤＡ（Personal  Digital  Assistant）、ポータブルナビゲーション装置、ゲーム機等の他の携帯型情報処理装置にも適用可能である。  
【産業上の利用可能性】
【００４７】
以上のように、本発明にかかる携帯型情報処理装置は、カメラ及び表示部を備えた携帯型の情報処理装置に広く利用可能である。  
【符号の説明】
【００４８】
１  携帯電話端末
２  筐体
３  タッチ表示部
３Ａ  タッチパネル
３Ｂ  鏡面形成部
３Ｃ  スペーサ
３Ｄ  表示部
４  操作部
５  マイク
６Ａ  第１カメラ
６Ｂ  第２カメラ
７  スピーカ
９  ユーザインターフェィス（ＵＩ）
１０  制御部
１１  メモリ
１２  記憶部
１３  通信部
１４  電源部
１５  カメラ処理部
２０  鏡
１００  携帯電話端末
１０１  表示部側筐体
１０２  操作部側筐体
１０３  連結部（ヒンジ部）
１０４  表示部
１０５  カメラ
１０６  鏡
１０７  操作部
【図１】
2014078877.tif 000003
【図２】
2014078877.tif 000004
【図３】
2014078877.tif 000005
【図４】
2014078877.tif 000006
【図５】
2014078877.tif 000007
【図６】
2014078877.tif 000008
【図７】
2014078877.tif 000009
【図８】
2014078877.tif 000010
【図９】
2014078877.tif 000011
【図１０】
2014078877.tif 000012
【図１１】
2014078877.tif 000013